(57)【要約】      （修正有）【課題】不要な電力を消費することを抑制できる画像形成装置を提供する。【解決手段】画像形成処理を実行する画像形成装置であって、操作者から画像形成命令の指示を受ける操作部１１１と、前記画像形成装置の周囲の所定の領域に人体が存在することを検出する人体検出部１１２と、前記画像形成装置の周囲の照度を検出する照度検出部１１３と、前記人体検出部１１２が人体を検出したことに伴い前記操作部１１１の起動処理を実行する実行部１０１と、前記照度検出部１１３が検出した照度が所定の照度以下になったことに応じて、前記人体検出部１１２への通電を停止するように制御する制御部１０５と、を有する。【選択図】図２
2017078816.tif 000002
【特許請求の範囲】
【請求項１】
画像形成処理を実行する画像形成装置であって、
操作者から画像形成命令の指示を受ける操作部と、
前記画像形成装置の周囲の所定の領域に人体が存在することを検出する人体検出部と、
前記画像形成装置の周囲の照度を検出する照度検出部と、
前記人体検出部が人体を検出したことに伴い前記操作部の起動処理を実行する実行部と、
前記照度検出部が検出した照度が所定の照度以下になったことに応じて、前記人体検出部への通電を停止するように制御する制御部と、
を有することを特徴とする画像形成装置。
【請求項２】
前記制御部は、前記人体検出部への通電を停止した後、前記照度検出部が検出する照度が前記所定の照度以下のままである間は、前記人体検出部への通電を停止したままにすることを特徴とする請求項１に記載の画像形成装置。
【請求項３】
記録材に画像を形成する画像形成部と、を有し、
前記実行部は、前記人体検出部が人体を検出したことに伴い、前記画像形成部の起動処理を実行することを特徴とする請求項１又は２のいずれか１項に記載の画像形成装置。
【請求項４】
前記制御部は、前記照度検出部が検出した照度が前記所定の照度より高くなったことに応じて、前記人体検出部への通電を開始するように制御することを特徴とする請求項１乃至３のいずれか１項に記載の画像形成装置。
【請求項５】
前記照度検出部は、前記人体検出部と一体のセンサであることを特徴とする請求項１乃至４のいずれか１項に記載の画像形成装置。
【請求項６】
画像形成処理を実行する画像形成装置であって、
操作者から画像形成命令の指示を受ける操作部と、
前記画像形成装置の周囲の所定の領域に人体が存在することを検出する人体検出部と、
前記画像形成装置の周囲の照度を検出する照度検出部と、
前記照度検出部が検出した照度に応じて、前記人体検出部が人体を検出したことに伴う前記操作部の起動処理を実行するか否かを制御する制御部と、を有し、
前記制御部は、前記照度検出部が検出した照度が所定の照度より高い場合、前記人体検出部が人体を検出したことに伴う前記操作部の起動処理を実行し、前記照度検出部が検出した照度が前記所定の照度以下である場合、前記人体検出部が人体を検出したことに伴う前記操作部の起動処理を実行しないことを特徴とする画像形成装置。
【請求項７】
記録材に画像を形成する画像形成部と、を有し、
前記制御部は、前記照度検出部が検出した照度が前記所定の照度より高い場合、前記人体検出部が人体を検出したことに伴う前記画像形成部の起動処理を実行し、前記照度検出部が検出した照度が前記所定の照度以下である場合、前記人体検出部が人体を検出したことに伴う前記画像形成部の起動処理を実行しないことを特徴とする請求項６に記載の画像形成装置。
【請求項８】
前記照度検出部は、前記人体検出部と一体のセンサであることを特徴とする請求項６又は７のいずれか１項に記載の画像形成装置。
【発明の詳細な説明】
【技術分野】
【０００１】
本発明は、人体検出機能を備える画像形成装置に関する。
【背景技術】
【０００２】
近年、人体検出センサによって画像形成装置に近接した人を検出し、自動で省電力状態から通常電力状態に復帰する画像形成装置が提案されている。
【０００３】
特許文献１には、検出範囲が異なる２つの人体検出センサを用いて、画像処理装置を省電力状態から通常電力状態に復帰させる技術が開示されている。具体的には、広範囲の検出範囲を有する第１の人体検出センサによって画像処理装置に近接する人が検出されると、第１の人体検出センサより検出範囲が狭い第２の人体検出センサが起動する。そして、起動した第２の人体検出センサによって人が検出されると、画像処理装置が省電力状態から通常電力状態に復帰する。
【０００４】
特許文献２では、人体検知センサで検知してから一定時間経過した場合に限り、省電力状態から通常電力状態に復帰させることで、通りすがりの人により通常電力状態に復帰してしまうのを防ぐ画像形成装置が提案されている。
【０００５】
特許文献３では、人体検出センサを複数設けることで、通りすがりの人を識別する精度を向上させる画像形成装置が提案されている。
【先行技術文献】
【特許文献】
【０００６】
【特許文献１】特開２０１２−１７７７９６号公報
【特許文献２】特開平０９−１６６９４３号公報
【特許文献３】特開平０６−２４２２２６号公報
【発明の概要】
【発明が解決しようとする課題】
【０００７】
しかしながら、画像形成装置が例えばオフィスで使用される場合、室内の消灯時は、非就業時間帯や休憩時間帯などであることが想定されるため、画像形成装置の周囲にいる人が画像形成装置を使用する意図がない人である場合がしばしばある。特許文献１〜３の構成では、画像形成装置の周囲にいる人を検出する度に、画像形成装置が省電力状態から通常電力状態に復帰する。そのため、画像形成装置の周囲にいる人に画像形成装置の使用を意図していない可能性が高い場合であっても、画像形成装置が通常電力状態へ復帰してしまうので、不要な電力を消費してしまうという課題があった。
【０００８】
そこで、本発明は、画像形成装置が不要な電力を消費することを抑制することを目的とする。
【課題を解決するための手段】
【０００９】
上記の目的を達成するために、第１の発明は、
画像形成処理を実行する画像形成装置であって、
操作者から画像形成命令の指示を受ける操作部と、
前記画像形成装置の周囲の所定の領域に人体が存在することを検出する人体検出部と、
前記画像形成装置の周囲の照度を検出する照度検出部と、
前記人体検出部が人体を検出したことに伴い前記操作部の起動処理を実行する実行部と、
前記照度検出部が検出した照度が所定の照度以下になったことに応じて、前記人体検出部への通電を停止するように制御する制御部と、
を有することを特徴とするものである。
【００１０】
また、第２の発明は、
画像形成処理を実行する画像形成装置であって、
操作者から画像形成命令の指示を受ける操作部と、
前記画像形成装置の周囲の所定の領域に人体が存在することを検出する人体検出部と、
前記画像形成装置の周囲の照度を検出する照度検出部と、
前記照度検出部が検出した照度に応じて、前記人体検出部が人体を検出したことに伴う前記操作部の起動処理を実行するか否かを制御する制御部と、を有し、
前記制御部は、前記照度検出部が検出した照度が所定の照度以上の場合、前記人体検出部が人体を検出したことに伴う前記操作部の起動処理を実行し、前記照度検出部が検出した照度が前記所定の照度未満である場合、前記人体検出部が人体を検出したことに伴う前記操作部の起動処理を実行しないことを特徴とするものである。
【発明の効果】
【００１１】
本発明によれば、画像形成装置が不要な電力を消費することを抑制することができる。
【図面の簡単な説明】
【００１２】
【図１】画像形成装置の外観の一例を示す斜視図である。
【図２】画像形成装置のハードウェア構成の一例を示した図である。
【図３】プリンタ部の断面構成の一例を示す図である。
【図４】プリンタ部に備わる定着部の断面構成一例を示す図である。
【図５】人体検出センサが赤外線を検出する検出領域を示す図である。
【図６】実施例１における処理の一例を示すフローチャートである。
【図７】実施例２における処理の一例を示すフローチャートである。
【図８】実施例３における処理の一例を示すフローチャートである。
【図９】実施例３における処理の一例を示すフローチャートである。
【発明を実施するための形態】
【００１３】
以下に、本発明の好ましい実施の形態を、添付の図面に基づいて詳細に説明する。ただし、この実施形態に記載されている構成要素はあくまで例示であり、本発明を実施形態に記載されたものだけに限定するものではない。
【００１４】
〔実施例１〕
（１−１）ＭＦＰ全体構成
図１は画像形成装置の外観の一例を示す斜視図である。本実施例では、画像形成装置の一例としてのＭＦＰ（Ｍｕｌｔｉ  Ｆｕｎｃｔｉｏｎ  Ｐｅｒｉｐｈｅｒａｌ）１００を用いて説明する。ＭＦＰ（画像形成装置）１００は、記録材に画像を形成する画像形成部としてのプリンタ部１１５を備えており、画像形成処理を実行する。またＭＦＰ１００は、スキャナ部１１６、操作部１１１を備える。ＭＦＰ１００は、コピー機能や、プリンタ機能を備える。
【００１５】
プリンタ部１１５は、記録材に画像を形成する画像形成部として機能する。本例では、原稿の画像データに対応する画像を電子写真方式で記録材に形成する。具体的な構成については、（１−３）で後述する。プリンタ部１１５の上面には、スキャナ部１１６と操作部１１１が配設されている。
【００１６】
スキャナ部１１６は、原稿（記録材に形成された画像）を読み取る読み取り部として機能する。スキャナ部１１６は、原稿の画像情報を読み取るための光電変換素子としてイメージセンサと、原稿台と、ＡＤＦ（Ａｕｔｏ  Ｄｏｃｕｍｅｎｔ  Ｆｅｅｄｅｒ）とを備える。そして、イメージセンサを用いて原稿台もしくはＡＤＦにセットされた原稿の画像データを取得する。スキャナ部１１６で取得された画像データは、図２に示すようにスキャナコントローラ１０９に送信される。スキャナコントローラ１０９は、スキャナ部１１６で取得された画像データを、バス１０６を介してスキャナコントローラ１０９と接続されている各部（例えば、プリンタコントローラ１０８）へ送信することができる。コピー機能においては、スキャナ部１１６が読み取った原稿に対応する画像をプリンタ部１１５が記録材に形成する。
【００１７】
操作部１１１は、表示パネルと操作キーとを備えている。操作部１１１は、操作キーを通じてＭＦＰ１００の各種設定及び動作の指示の入力を操作者から受け付ける。また、操作部１１１は、表示パネルに表示することにより、ＭＦＰ１００の動作状態やエラーを操作者へ報知する。尚、操作部１１１の表示パネルをタッチパネル方式として、表示パネルが操作キーの機能を果たす構成としてもよい。操作部１１１にて行われる設定や指示の例としては、プリンタ部１１５による画像形成処理の実行命令（画像形成命令）や、照度センサ１１３の判定閾値の調整等が挙げられる。例えば、コピー（スキャンして印刷）の実行命令も、画像形成命令の一例である。
【００１８】
また、ＭＦＰ１００は、操作部１１１の操作パネルの横にスリープボタン１１８（ハードキー）を備えている。スリープボタン（切り替え部）１１８は、ＭＦＰ１００をスタンバイモードや省電力モードに切り替えるトリガーの１つとして機能する。詳しくは、（１−４）で後述する。尚、スリープボタン１１８の位置はこれに限らず、操作部１１１上に表示パネルと操作キーと併設する構成としてもよい。ただし、本例の説明においては、スリープボタン１１８が操作部１１１上に配置されている場合であっても、操作部１１１はＭＦＰ１００の各種設定及び動作の指示の入力を操作者から受け付けるものであって、スリープボタン１１８とは区別されるものとする。
【００１９】
また、ＭＦＰ１００は、操作部１１１の操作パネルの横に人体検出部としての人体検出センサ１１２、ＭＦＰ１００の装置側面部には照度検出部としての照度センサ１１３、を備えている。人体検出センサ１１２については（１−５）、照度センサ１１３については（１−６）で後述する。
【００２０】
（１−２）ＭＦＰ内部のハードウェア構成
図２はＭＦＰ内部のハードウェア構成の一例を示した図である。
【００２１】
ＣＰＵ１０１、メモリ１０２は、バス１０６に接続されている。同様に、ＨＤＤ（Ｈａｒｄ  Ｄｉｓｋ  Ｄｒｉｖｅ）１０３、電源制御部１０４、ネットワークコントローラ１０７、プリンタコントローラ１０８、スキャナコントローラ１０９、Ｉ／Ｏコントローラ１１０は、バス１０６に接続されている。バス１０６に接続されているこれらの各種ユニットはバス１０６を介して相互に通信することができる。バス１０６に接続されているこれらの各種ユニットは、ＭＦＰ１００を制御する制御部１０５として機能する。
【００２２】
具体的には、ＣＰＵ１０１は、メモリ１０２に保存されているプログラムをＣＰＵ１０１内部にあるレジストリと呼ばれる一次メモリに展開して実行する。ＣＰＵ１０１は、ＭＦＰ１００全体のコントローラとして機能する。ＣＰＵ１０１は、バス１０６を介して、ＨＤＤ１０３、電源制御部１０４、ネットワークコントローラ１０７、プリンタコントローラ１０８、スキャナコントローラ１０９、Ｉ／Ｏコントローラ１１０に対して制御命令等を送信する。ＣＰＵ１０１は、バス１０６を介して、ＨＤＤ１０３、電源制御部１０４、ネットワークコントローラ１０７、プリンタコントローラ１０８、スキャナコントローラ１０９、Ｉ／Ｏコントローラ１１０から各ユニットの状態を示す信号や画像等のデータを受信する。
【００２３】
メモリ１０２と比較して記録容量の多いＨＤＤ１０３は、主にＭＦＰ１００の内部で保持される画像データの保存に利用する。
【００２４】
ネットワークコントローラ１０７は、外部の機器と通信するための処理回路であり、ＣＰＵ１０１から送信される信号を変調して各種規格に準じた信号に変換する。本実施例において、ネットワークコントローラ１０７はＩＥＥＥ８０３．２規格に準じた多値の信号に変換し、Ｉ／Ｆ１１４を介して外部のネットワークＮに送信する。また、ネットワークコントローラ１０７は、Ｉ／Ｆ１１４を介してネットワークＮから受信した多値の信号を復調し、ＣＰＵ１０１に送信する。尚、図２では、ＭＦＰ１００は、ＵＳＢ／ＩＦ１１７を介して、外部の情報処理装置としてのＰＣ（パーソナルコンピュータ）２００又は外部コントローラとしてのＭＦＰコントローラ３００と接続可能な例を示している。しかしながら、ＭＦＰ１００は、ネットワークＮを介してＰＣ２００又はＭＦＰコントローラ３００と通信してもよい。
【００２５】
ＣＰＵ１０１がプリンタコントローラ１０８を介して画像形成部としてのプリンタ部１１５へ送信する画像データはラスターイメージである。その為、画像形成する原稿のデータとして、ＰＣ２００からＭＦＰ１００にＰＤＬ（Ｐａｇｅ  Ｄｅｓｃｒｉｐｔｉｏｎ  Ｌａｎｇｕａｇｅ）が入力された場合、ＣＰＵ１０１は、ＲＩＰ（Ｒａｓｔｅｒ  Ｉｍａｇｅ  Ｐｒｏｃｅｓｓｏｒ）を分担して実行する。ＣＰＵ１０１は、ＲＩＰによってＰＤＬから変換した画像データを、プリンタコントローラ１０８を介してプリンタ部１１５へ送信する。
【００２６】
プリンタコントローラ１０８は、制御部１０５において、プリンタ部１１５を制御する制御回路である。プリンタ部１１５はプリンタコントローラ１０８を介して受信した画像データに基づき画像形成処理（印刷処理）を実行し、印刷物を出力する。プリンタコントローラ１０８は、ＣＰＵ１０１から受信した画像データを元にプリンタ部１１５に対して画像データに応じたトナー像を記録材に形成し、定着させることができる。
【００２７】
スキャナコントローラ１０９は、スキャナ部１１６が備えるイメージセンサの原稿イメージ取り込み動作及びＡＤＦ（Ａｕｔｏ  Ｄｏｃｕｍｅｎｔ  Ｆｅｅｄｅｒ）の動作を制御する制御回路である。
【００２８】
スキャナ部１１６が取得した画像データをＭＦＰ１００内のＨＤＤ１０３に画像を保存するボックスモードが選択された場合、スキャナコントローラ１０９は、スキャナ部１１６が取得した画像データをＨＤＤ１０３に保存する。スキャナ部１１６が取得した画像データをプリンタ部１１５で出力するコピーモードが選択された場合、スキャナコントローラ１０９は、スキャナ部１１６が取得した画像データをプリンタコントローラ１０８に送信する。これによりプリンタコントローラ１０８は受信した画像データをプリンタ部１１５に出力させる。
【００２９】
Ｉ／Ｏコントローラ１１０は、ＵＳＢ  Ｉ／Ｆ１１７、操作部１１１、人体検出センサ１１２、照度センサ１１３、スリープボタン１１８を制御する制御回路である。
【００３０】
Ｉ／Ｏコントローラ１１０は、ＵＳＢ  Ｉ／Ｆ１１７を介して接続される外部装置との通信を行う通信回路である。図２では、ＵＳＢ  Ｉ／Ｆ１１７が、外部のＰＣ２００又はＭＦＰコントローラ３００と接続可能な例を示している。
【００３１】
また、Ｉ／Ｏコントローラ１１０は、操作部１１１に接続しており、操作部１１１を介して操作者からの指示を受け付けたり、操作部１１１の表示パネルにＭＦＰ１００の状態等を表示したりする。
【００３２】
また、Ｉ／Ｏコントローラ１１０は、スリープボタン１１８と接続しており、操作者からの省電力モードの切り替えの指示を受け付ける。
【００３３】
また、Ｉ／Ｏコントローラ１１０は、人体検出センサ１１２及び照度センサ１１３と接続している。ＣＰＵ１０１は、操作者が操作部１１１に入力した情報や、人体検出センサ１１２や照度センサ１１３によって検出された情報を、Ｉ／Ｏコントローラ１１０を介して取得することができる。
【００３４】
電源制御部１０４は、電源部２１０と接続しており、電源部２１０がＭＦＰ１００の各部に供給を制御している。電源制御部１０４は、ＣＰＵ１０１からのコマンドによって電源部２１０に伝達される電源制御信号を送信或いは変化させる。例えば、スタンバイモードから省電力モードに移行する場合（詳細は、後述する。）のように、電力状態の異なるモードを切り替える場合には、移行するモードに応じた電力を各部に供給（あるいは停止）するように、電源制御信号を送信する。信号線３０４は電源制御部１０４が電源部２１０の出力のＯＮ／ＯＦＦに関する制御を行うための信号である電源制御信号が伝達する信号線である。
【００３５】
電源部２１０は、ＭＦＰ１００内の各ユニットに電力を供給する。具体的には、電源部２１０は、プラグ３０１と、電源部２１０の内部にヒューズ２１１とリレー２１２を有する。リレー２１２は、電源部２１０からＭＦＰ１００内部の各ユニットへの電力の供給や停止を行うためのスイッチングの役割を果たす。リレー２１２は、電源制御部１０４からの制御信号に応じてスイッチする。
【００３６】
また、プラグ３０１は商用交流電源のコンセントに差し込むものであり、コンセントから電源部２１０に交流電源を供給する。電源部２１０は、商用交流電源から得た交流電力の電圧を各ユニットに適した電圧に変換し、電力供給先のユニットによっては必要に応じて交流から直流に変換する。ヒューズ２１１は、電源部２１０内に過電流や短絡電流が流れたときに、内部の可溶体が溶断あるいは遮断することで電源部２１０或いは電源部２１０が電力を供給するＭＦＰ１００の各ユニットを保護する。
【００３７】
（１−３）プリンタ部の構成
図３はプリンタ部の断面構成の一例を示す図である。プリンタ部１１５は、記録材に画像を形成する画像形成部として機能する。本実施例のプリンタ部１１５は、電子写真方式で記録材に画像を形成する。以下、図３を用いて、ＭＦＰ１００のプリンタ部１１５における画像形成処理の動作を説明する。
【００３８】
ＣＰＵ１０１により画像形成するための信号がプリンタコントローラ１０８に送信されると、プリンタコントローラ１０８は、プリンタ部１１５の各ユニットを制御し、画像形成処理を実行する。
【００３９】
画像形成ステーションＰａ、Ｐｂ、Ｐｃ、Ｐｄは、それぞれイエロー、マゼンタ、シアン、ブラックのトナー像を中間転写ベルト（中間転写体）１３０に形成する。尚、各色の順はこの限りでない。画像形成ステーションＰａ、Ｐｂ、Ｐｃ、Ｐｄでは、帯電器２ａ、２ｂ、２ｃ、２ｄにより感光ドラム（像担持体）３ａ、３ｂ、３ｃ、３ｄが帯電される。レーザースキャナによるレーザ出力により、帯電された感光ドラム（像担持体）３ａ、３ｂ、３ｃ、３ｄ上に、画像データに対応する潜像（電位差による目に見えない像）を形成する。
【００４０】
各感光ドラム３ａ、３ｂ、３ｃ、３ｄ上に形成された潜像は、感光ドラム３ａ、３ｂ、３ｃ、３ｄが図の矢印の方向に回転することにより現像部１ａ、１ｂ、１ｃ、１ｄに搬送される。現像部１ａ、１ｂ、１ｃ、１ｄでは、現像スリーブ上の電荷を帯びたトナーと高圧の作用によって、各色（イエロー、マゼンタ、シアン、ブラック）のトナー像として、潜像を現像する。
【００４１】
そして、感光ドラム３ａ、３ｂ、３ｃ、３ｄ上に形成された各色のトナー像は、感光ドラム３ａ、３ｂ、３ｃ、３ｄに接触して駆動する中間転写ベルト１３０上に順次、一次転写され、４色の合成トナー像を形成する。合成されたトナー像は、二次転写ローラ１１により記録材Ｐ上に転写される。
【００４２】
記録材Ｐは、トナー像を形成することができるシートであり、例えば普通紙、光沢紙、封筒、はがき、ＯＨＰシートなどである。プリンタ部１１５は、画像形成処理に使用する記録材Ｐを収容する収容部１０ａ、１０ｂを備える。収容部１０ａ、１０ｂに収容されている記録材Ｐは、それぞれピックアップローラ６ａ、６ｂにより搬送路へ供給される。収容部１０ａ又は収容部１０ｂから供給された記録材Ｐは、二次転写ローラ１１へと搬送され、トナー像が転写される。
【００４３】
転写によりトナー像を担持した記録材Ｐは、定着部９を通過する。定着部９は、加熱・加圧によって記録材Ｐ上のトナー像を定着する。定着部９を通過した記録材Ｐは、成果物としてプリンタ部１１５の外に排出される。
【００４４】
ＣＰＵ１０１の制御に基づき、電源制御部１０４が電源部２１０へ電源制御信号を送信することで、プリンタ部１１５の各ユニットの駆動や高圧印加、加熱・加圧を行うための電圧の供給／停止を制御する。
【００４５】
図４はプリンタ部に備わる定着部の断面構成一例を示す図である。
【００４６】
未定着トナー像を保持した記録材Ｐは、図４中の矢印の方向に搬送される。定着ニップ部で加熱及び加圧されることで、記録材Ｐ上のトナー像が定着される。定着ローラ（定着部材）５１は、外径φ７２ｍｍのＦｅ製の円筒芯金上に、４ｍｍ厚のシリコンゴムの弾性体層を保持し、その外側の表層には離型性層としての厚み３０μｍのＰＦＡチューブを被覆している。定着ローラ５１に圧接して定着ニップ部を形成する加圧ローラ５２は、外径φ７６ｍｍのＦｅ製の円筒芯金上に、２ｍｍ厚のシリコンゴムの弾性体層、その外側の表層には離型性層としての厚み３０μｍのＰＦＡチューブ離型層を有している。
【００４７】
定着ローラ５１の内部には、加熱源としてのハロゲンヒーター２０１（９００Ｗ）が設けられている。また、定着ローラ５１の表面には、温度検出部としての温度センサ２０５が設けられている。ＣＰＵ１０１は、プリンタコントローラ１０８を介して送信される温度センサ２０５の出力に基づいて、ハロゲンヒーター２０１への電圧供給を制御することにより定着ローラ５１の表面温度を調整している。尚、記録材Ｐを加熱する手段としては、定着部材の内外部に配置した誘導加熱装置により定着部材の金属部分を発熱させる構成でも良い。
【００４８】
定着ローラ５１の芯金端部は回転自在に定着器側板に固定されており、加圧ローラ５２を回転自在に支持した加圧フレームを不図示の加圧手段によって押圧することで、定着ニップ部を形成している。本実施例の定着部９は、定着ニップ圧が約６０ｋｇｆ、定着ニップ幅が約１０ｍｍ幅になるように設定している。
【００４９】
本実施例のプリンタ部１１５では、定着処理時の定着ローラ５１の温度を１８５℃に設定している。定着部９の構成では、常温の定着ローラ５１（約３０℃）の加熱を開始してから１８５℃に到達するまでの時間（ウォームアップタイム）は約２分間を要する。そこで、ＭＦＰ１００が次の画像形成命令を待っている状態であるスタンバイモードにおいても、定着ローラ５１の表面温度が１８５℃を維持するように制御している。ＭＦＰ１００が画像形成命令を受信してから受信した命令に対する１枚目の記録材Ｐが印刷されるまでの時間（ファーストプリントアウトタイム）を短縮するためである。スタンバイモードでは、定着ローラ５１の表面温度を周方向で均一にするために低速で回転する。尚、温度の値（１８５℃）は一例であり、スタンバイモードにおける定着ローラ５１の温度は、この数値に限定されるものではない。
【００５０】
しかしながら、スタンバイモードが長く続くと、その間、定着ローラ５１の温度を維持するために電力を消費し続けてしまう。本実施例のＭＦＰ１００では、ＭＦＰ１００全体の消費電力のうち約半分を定着部９の加熱に使用する。具体的には、定着部９で消費する最大電力が１１００Ｗ、プリンタ部１１５の定着部９以外の部分で消費する最大電力が９００Ｗである。また、スキャナ部１１６の最大電力は１５０Ｗ、操作部１１１は５０Ｗ、人体検出センサ１１２と照度センサ１１３およびその制御部の消費電力は合計２０Ｗ、である。
【００５１】
そこで、本実施例のＭＦＰ１００では、省電力モードの位置づけとして、定着ローラ５１の温度調整および定着ローラ５１の駆動に電力を供給しない、スリープモードやディープスリープモードを有している。スリープモードやディープスリープモードについては、（１−４）で後述する。
【００５２】
（１−４）省電力モードと電力制御
本実施例のＭＦＰ１００は、使用電力状態の異なる少なくとも３つのモードを備える。１つ目は、ＭＦＰ１００が次の画像形成命令を待っている状態であるスタンバイモードである。スタンバイモードでは、ＭＦＰ１００内すべてのユニットに電力を供給した状態で、すばやく次の画像形成処理を開始できるように待機する。
【００５３】
尚、例えば人体検出センサ１１２など、スタンバイモードで使用しない一部のユニットへの通電をしない構成としてもよい。ただし、この場合においても少なくともプリンタ部１１５と操作部１１１とそれらの制御に係る制御部１０５への通電は行う。
【００５４】
２つ目は、プリンタ部１１５の電力は切断するが、操作部１１１には電力を供給する省電力モードである（以下、スリープモードと称する。）。スリープモードでは、操作部１１１への通電により、表示パネルや操作キーの動作が可能な状態であるが、プリンタ部１１５への電力が切断されるので、定着部９における定着ローラ５１の温度調整および定着ローラ５１の駆動は行われない。
【００５５】
３つ目は、スリープモードからさらに操作部１１１への電力も切断する省電力モードである（以下、ディープスリープモードと称する）。ディープスリープモードでは、プリンタ部１１５も操作部１１１も電力を切断するが、人体検出センサ１１２と照度センサ１１３には電力を供給する。また、人体検出センサ１１２と照度センサ１１３を制御するＣＰＵ１０１とＩ／Ｏコントローラ１１０にも電力を供給する。ここで、Ｉ／Ｏコントローラ１１０は、操作部１１１の制御に係る部分への通電を切断し、人体検出センサ１１２と照度センサ１１３の制御に係る部分への通電を維持する。ディープスリープモードでは操作部１１１への通電はないためである。
【００５６】
消費電力量は大きい順に、スタンバイモード、スリープモード、ディープスリープモード、となる。
【００５７】
電源制御部１０４は、前述した３つのモードのそれぞれに合わせた電力供給を行うように電源部２１０を制御する。画像形成命令を待つスタンバイモードから、節電するためのスリープモード、さらに節電するディープスリープモードに移行するには、次の２つの方法がある。１つ目は、操作者がスリープボタン１１８を押す方法である。２つ目の方法は、操作部１１１において操作者により予め設定された移行時間に亘って画像形成処理が行われない場合に、自動的にスタンバイモード、スリープモード、ディープスリープモードの順に移行するようにＣＰＵ１０１が制御する方法である。
【００５８】
尚、２つ目の方法は、スリープモードを介さずにスタンバイモードからディープスリープモードへ移行する構成としてもよい。また、２つ目の方法により、自動的にスタンバイモードからディープスリープモードへ移行する制御を実行させるか否かの設定は、操作者により操作部１１１から設定可能な構成としてもよい。
【００５９】
ディープスリープモードの状態であるＭＦＰ１００は、人体検出センサ１１２による人物検出をトリガーとして、操作部１１１を利用できるスリープモードへ移行する。すなわち、ディープスリープ状態から、操作部１１１を立ち上げる。具体的には、人体検出センサ１１２による人物検出をトリガーとして、操作部１１１に係るＩ／Ｏコントローラ１１０が起動し、操作部１１１における操作者による操作を受け付け可能な状態にする。ここで、ディープスリープモードからスリープモードへの立ち上げには、例えば約３０秒の時間を要する。
【００６０】
ＭＦＰ１００を使用しようとＭＦＰ１００に近づく操作者にとっては、ディープスリープモードのＭＦＰ１００ができるだけ早く操作部１１１の操作が可能な状態に復帰する（スリープモードに移行する）ことが望ましい。そこで、人体検出センサ１１２により、操作者がＭＦＰ１００に近づいたことを検出することをトリガーとして、操作部１１１の起動処理（スリープモードへの移行）を開始する。これにより、操作者がＭＦＰ１００に触れたこと（例えば、スリープボタン１１８を押すこと）をトリガーとする場合と比較して、ディープスリープモードからスリープモードとなるまでに操作者が体感する待ち時間を短縮する効果が得られる。また、操作者がＭＦＰ１００に触れる（例えば、スリープボタン１１８を押す）ことなく、操作部１１１を起動させることができるので、ユーザビリティが向上する。
【００６１】
尚、ディープスリープモードからスリープモードへ移行するトリガーは人体検出センサ１１２による人体検出に加えて、次のトリガーを有する構成としてもよい。本実施例では、人体検出センサ１１２による人体検出の他に、スリープボタン１１８を操作された（押された）ことをトリガーとして、ディープスリープモードからスリープモードへ移行する。ディープスリープモードにおいても、スリープボタン１１８及びＩ／Ｏコントローラ１１０のスリープボタン１１８に係る部分に通電している。人体検出センサ１１２以外のトリガーを備えることにより、人体検出センサ１１２が機能しない場合であっても、操作者の意図（スリープボタン１１８を押すこと）に応じてディープスリープモードからスリープモードへ移行することができる。これによりユーザビリティを向上させることができる。
【００６２】
また、ディープスリープモードからスリープモードへ移行するための人体検出以外のトリガーは、スリープボタン１１８の操作に限らない。例えば、ＣＰＵ１０１がネットワークＮからのプリントジョブの受信を検出することをトリガーとする構成である。この場合、ディープスリープモードにおいても、ネットワークＮからのプリントジョブの受信に必要なＩ／Ｆ１１４及びネットワークコントローラ１０７は通電している構成とする。
【００６３】
上記のトリガーによって、電源制御部１０４は、ディープスリープモードからスリープモードに遷移するように、電源部２１０へ伝達する電源制御信号を送信或いは変化させて制御している。
【００６４】
（１−５）人体検出センサ
人体検出センサ１１２について説明する。人体検出センサ１１２は、ＭＦＰ１００の周囲（所定の領域）に人が存在することを検出する人体検出部として機能する。本実施例の人体検出センサ１１２はパッシブ式焦電型赤外線センサをアレイ状に複数並べた焦電アレイセンサである。パッシブ式焦電型赤外線センサは、人体等の温度を持つ物体から放射される赤外線量の変化を検出する。検出領域内に人体が出現すると赤外線量の変化が生じるので、人体検出センサ１１２は、ＭＦＰ１００の周囲に人体（人）がいることを検出することができる。焦電型赤外線センサは、消費電力が小さく、検出領域が比較的広いということも特徴である。また、パッシブ式焦電型赤外線センサをアレイ状に複数並べることにより、人体検出センサ１１２は検出領域内での赤外線量の分布からＭＦＰ１００から人体までの距離や、その分布の時間的変化から人体の移動方向や移動速度を検出することもできる。
【００６５】
本実施例では、人体検出センサ１１２の検出値が、ＭＦＰ１００の周囲で一定時間停止した（立ち止った）ことを示したことを以て、人体がＭＦＰ１００の周囲にいると検出する。人体検出センサ１１２の検出値が、ＭＦＰ１００の周囲で一定時間停止した（立ち止った）ことを示したか否かは、Ｉ／Ｏコントローラ１１０を介して取得した人体検出センサ１１２の検出値を基に、ＣＰＵ１０１が判定する。
【００６６】
尚、人体検出センサ１１２の検出値が、ＭＦＰ１００への人体の接近を示したことを以て、人体がＭＦＰ１００の周囲にいると検出する構成としてもよい。また、人体検出センサ１１２の検出値が、ＭＦＰ１００に接近した人体がＭＦＰ１００の周囲で一定時間停止したことを以て、人体がＭＦＰ１００の周囲にいると検出する構成としてもよい。
【００６７】
図５は、人体検出センサが赤外線を検出する検出領域を示す図である。図５は、設置時のＭＦＰ１００を上から見た様子を模式的に示したものである。ＭＦＰ１００の周囲とは、図５に示すような、操作者がＭＦＰ１００の前で操作部１１１を操作すると予想される位置を含む所定の領域を指す。ＭＦＰ１００の周囲にいる人体を検出する人体検出センサ１１２は、図５に示すように、操作者がＭＦＰ１００の前に立って操作部１１１を操作すると予想される位置を含む方向、つまり操作部１１１の正面方向、にいる人を検出可能な位置に設ける。
【００６８】
尚、人体検出センサ１１２の検出方式はこれに限らない。例えば、人などから放射される赤外線を受光する赤外線受光素子がマトリクス状に配列された赤外線センサアレイでも良い。また、ＣＣＤカメラ等で連続撮影した画像の変化から人物を検出する画像認識型や、光源から照射した光（例えば赤外線）の反射光の光量の変化から人物を検出する反射型、超音波により物体への距離と方向を検出し人物検出する超音波型、等であってもよい。また、例えばより広範囲をパッシブ式焦電型赤外線センサで検出し、狭い範囲を反射型センサで検出するといったように、複数のセンサを組み合わせて人体を検出する構成としてもよい。
【００６９】
また、本実施例では、操作部１１１の近傍に人体検出センサ１１２を備える構成としたが、ＭＦＰ１００の周囲にいる人体を検出でき、かつ、人体を検出したことをＣＰＵ１０１へ伝達できるように構成すれば、ＭＦＰ１００の他の箇所に備えていてもよい。例えば、操作部１１１内に設ける構成としてもよい。また、ＭＦＰ１００は、人体検出センサ１１２を複数備えている構成としても良い。
【００７０】
（１−６）照度センサ
照度センサ１１３について説明する。照度センサ１１３は、ＭＦＰ１００の周囲の照度を検出する照度検出部として機能する。本実施例の照度センサ１１３は、フォトダイオードにアンプ回路を追加した、フォトＩＣ型の照度センサである。フォトＩＣ型照度センサは、出力電流が大きく、感度の温度特性や分光特性の素子間ばらつきが安定しているといった特徴がある。この他、アンプ回路のないものや、安価なフォトトランジスタ型等を使用してもよい。照度センサ１１３は、受光部に入射する光エネルギーを、内部の光電変換素子により電流に変換することで、受光部が面している環境の照度を検出することができる。すなわち、照度センサ１１３を備えるＭＦＰ１００が設置されている空間の照度を検出することができる。
【００７１】
例えば一般的なオフィス環境では、日中の就業時間帯は８００ｌｘ（ルクス）、照明が間引かれて薄暗くなる休憩時間帯では４０ｌｘ、消灯される夜間では１０ｌｘ、といった照度情報を照度センサ１１３により検出し、ＣＰＵ１０１へと伝達する。
【００７２】
尚、本実施形態では、図１に示すように、ＭＦＰ１００の正面に照度センサ１１３を備える構成とした。ここで正面とは、ＭＦＰ１００を設置した時、床面と、床面と対向する上面とを除く面のうち、操作部１１１を正面から見る側に位置する面である。尚、照度センサ１１３の配置はこれに限らない。例えば、正面からみたとき右側に位置する右側面など、ＭＦＰ１００の周囲の照度（環境照度）を検出できる構成であれば別の配置としてもよい。
【００７３】
尚、照度センサ１１３を、床面と対向する上面を除く側面（正面、右側面、背面、左側面）に設ける構成とするとより好ましい。ＭＦＰ１００が窓際に設置された場合でも、太陽光などの外光の影響を比較的受けにくい構成とすることができる。また、照度センサ１１３を正面側に設ける構成とするとより好ましい。ＭＦＰ１００の配置場所における影響を受けにくいためである。例えば、ＭＦＰ１００を室内の壁際に設置された場合、背面は壁との間に位置するため、ＭＦＰ１００の周囲の明るさに関係なく、低い照度を検出してしまう恐れがある。
【００７４】
尚、本実施例では、人体検出センサ１１２と照度センサ１１３について、各々別の２つのセンサを用いたが、１つのセンサで人体の検出と照度の検出の両機能を兼ね備える一体のセンサを用いる構成としてもよい。例えば、反射型のセンサを用いて、人体を検出するか照度を検出するかに応じて、発光条件や検出判定条件を変える構成である。具体的には、光源からの光に対する反射光を受光素子で検出することにより人体を検出し、光源からの光を発しない状態で受光素子への入射光量を所定時間に亘って積算することにより周囲の照度を検出する方法である。
【００７５】
（１−７）人体検出センサによる操作部の復帰
（１−４）で説明したように、ディープスリープモードのＭＦＰ１００は、人体検出センサ１１２による人体検出をトリガーとして、操作部１１１が起動する。以下では、その詳細について説明する。本実施例では、操作部１１１に電力供給していないディープスリープモードにおいて、人体検出センサ１１２により人体検出をしたときに、操作部１１１へ電力を供給し、スリープモードへの移行を開始する。具体的には、電源制御部１０４が、操作部１１１と、操作部１１１を制御するＣＰＵ１０１及びＩ／Ｏコントローラ１１０と、に電源部２１０から電力を供給する。そして、ＣＰＵ１０１及びＩ／Ｏコントローラ１１０は、操作部１１１の起動処理を実行する実行部として機能する。操作部１１１の起動処理には、操作部１１１を制御するＣＰＵ１０１及びＩ／Ｏコントローラ１１０の起動処理を含む。操作部１１１は起動処理の途中または、起動処理の完了後に操作部１１１の表示パネルに画面が表示される。操作部１１１は、起動処理が完了すると、操作者による操作部１１１上での各種操作（例えば、画像形成処理の設定変更や画像形成命令等）が可能になる。操作部１１１は、起動処理が完了に伴い、操作部１１１の操作キーが点灯する構成としてもよい。ＭＦＰ１００では、スリープモードへの移行が完了する時間（操作部１１１の起動時間）は約３０秒である。
【００７６】
尚、本実施例ではディープスリープモードからスリープモードへ移行するので、操作部１１１の起動処理が完了した時点では、定着部９を含むプリンタ部１１５には電力供給しない。操作部１１１の起動後に、操作者から受け付ける操作は必ずしも画像形成処理の実行とは限らない。そこで、本実施例では、ＣＰＵ１０１がプリント開始命令を受け付けたこと（具体的には、操作部１１１による操作や、ネットワークＮからのプリント信号受信等）に応じて、定着部９を含むプリンタ部１１５への電力供給を開始するようにしている。これにより操作部１１１が起動してから、プリント開始命令の受け付けるまでの間の消費電力を低減させることができる。
【００７７】
（１−８）人体検出センサＯＦＦモード
本実施例のＭＦＰ１００は、ディープスリープモードにおいて、照度センサ１１３により検出した環境照度が所定の閾値（所定の照度）以下である場合に、人体検出センサ１１２への通電をＯＦＦにする、人体検出センサＯＦＦモードを持つ。
【００７８】
ＭＦＰ１００の設置箇所の環境照度が低い場合とは、例えば室内の照明が落とされている場合である。ＭＦＰ１００は、オフィスで使用されることが多いため、室内の照明が落とされている場合とは非就業時間帯や休憩時間等である。そのため、室内の照明が落とされている場合は、ＭＦＰ１００の稼働率が低い状態であると言い換えることができる。このような状況下で人体検出センサ１１２により操作部１１１の復帰機能が働くと、装置を使用する意思のない人が、ＭＦＰ１００の周囲を通ったり、偶然ＭＦＰ１００の前で立ち止まったりした場合にも、操作部１１１を立ち上げてしまう。つまり、装置を使用する意思のない人を検出してしまうことにより、不要に操作部１１１を立ち上げる確率が増えてしまう。これは、操作部１１１の不要な立ち上げに伴う電力を無駄に消費してしまう。
【００７９】
そこで、本実施例のＭＦＰ１００は、照度センサ１１３による検出値が所定の閾値以下を示した場合、人体検出センサ１１２への通電をＯＦＦ状態にするＯＦＦモードに遷移する。これにより、不必要なディープスリープからの操作部１１１の起動を防ぐことができ、ＭＦＰ１００の消費電力を低減することができる。
【００８０】
（１−９）フローチャート
図６に示すフローチャートに沿って、人体検出センサＯＦＦモードについて説明する。図６は実施例１における処理の一例を示すフローチャートであり、人体検出センサＯＦＦモードを備えるＭＦＰ１００がディープスリープモードにおいて実行する処理の一例を示している。このフローは、制御部１０５によって実行される。より具体的には、ディープスリープモードにおいて通電しているＣＰＵ１０１が、メモリ１０２の保持するプログラムを実行することにより行われる。
【００８１】
操作者により操作部１１１のスリープボタン１１８が押されるなどして、ＭＦＰ１００がディープスリープモードになると、人体検出センサ１１２をＯＦＦにするか否かの処理フローを開始する。
【００８２】
Ｓ１０１において、ＣＰＵ１０１は、照度センサ１１３が検出した照度が所定の閾値以下か否かを判定する。上述したように、照度センサ１１３は、ＭＦＰ１００の環境照度を検出する。ＣＰＵ１０１は、Ｉ／Ｏコントローラ１１０を介して、照度センサ１１３が検出した照度の値を取得する。本実施例では、所定の閾値は、５０ｌｘとした。５０ｌｘは、薄暗いが、人の動作は可能なレベルであり、オフィスの休憩時間帯に消灯された室内を想定した明るさである。尚、この所定の閾値は、５０ｌｘに限定されるものではなく、ＭＦＰ１００が使用される環境を想定した値を適宜設定し、予めメモリ１０２に格納しておく。また、操作部１１１から操作者が予め設定・変更できる構成としてもよい。
【００８３】
ＣＰＵ１０１は、Ｓ１０１において、照度センサ１１３が検出した照度が所定の閾値（本実施例では、５０ｌｘ）以下である場合はＳ１０２に移行する。ＣＰＵ１０１は、Ｓ１０２において、人体検出センサ１１２への通電をＯＦＦにする。より具体的には、ＣＰＵ１０１は電源制御部１０４にコマンドを送信し、電源制御部１０４が人体検出センサ１１２への通電をＯＦＦするよう電源部２１０を制御する。尚、Ｓ１０１でＹｅｓ、Ｓ１０２、Ｓ１０５でＮｏのフローを経てＳ１０１でＹｅｓとなった場合のように、人体検出センサ１１２が既にＯＦＦ状態である場合には、ＯＦＦ状態を維持する。つまり、ＭＦＰ１００の環境照度が所定の照度以下である間は、人体検出センサ１１２の通電をＯＦＦ状態のままにする。
【００８４】
これにより、ＭＦＰ１００の周囲が所定の照度以下の場合、すなわち非就業時間帯や休憩時間等のようにＭＦＰ１００の稼働率が低いと想定される状況の場合に、人体検出センサ１１２による操作部１１１の復帰機能を停止させることができる。結果、ＭＦＰ１００の周囲に、装置を使用する意思のない人がいる場合に操作部１１１が不要に立ち上がってしまうことに伴う電力消費を抑制することができる。また、照度センサ１１３が所定の閾値以下を検出したときは、人体検出センサ１１２自体への電源供給を停止させるので、不必要な人体検出センサ１１２の電力消費も抑制できる。
【００８５】
ＣＰＵ１０１は、Ｓ１０１において、照度センサ１１３が検出した照度が所定の閾値（本実施例では、５０ｌｘ）より大きい場合は、Ｓ１０３に移行する。ＣＰＵ１０１は、Ｓ１０３において、人体検出センサ１１２への通電をＯＮにする。より具体的には、ＣＰＵ１０１は電源制御部１０４にコマンドを送信し、電源制御部１０４が人体検出センサ１１２への通電をＯＮするよう電源部２１０を制御する。尚、例えばＳ１０１でＮｏ、Ｓ１０３、Ｓ１０４でＮｏ、Ｓ１０５でＮｏのフローを経てＳ１０１でＮｏとなった場合のように、人体検出センサ１１２が既にＯＮ状態である場合には、ＯＮ状態を維持する。
【００８６】
Ｓ１０４は、Ｉ／Ｏコントローラ１１０が取得する人体検出センサ１１２の出力を基に、人体検出センサ１１２が人体を検出したか否かをＣＰＵ１０１が判定するステップである。
【００８７】
ＣＰＵ１０１は、Ｓ１０４において、人体検出センサ１１２が人体を検出したと判定した場合は、Ｓ１０６へ移行する。Ｓ１０６において、ＣＰＵ１０１は、操作部１１１の起動処理を実行し、スリープモードへと移行する。具体的には、ＣＰＵ１０１は、電源制御部１０４にコマンドを送信し、電源制御部１０４がディープスリープモードからスリープモードに移行するよう電源部２１０を制御する。電源部２１０より電力が供給されたＩ／Ｏコントローラ１１０が起動し、操作部１１１を操作可能な状態にする。起動が完了すると、ＭＦＰ１００はスリープモードとなる。
【００８８】
照度センサ１１３が検出した照度が所定の閾値より大きい場合には、人体検出センサ１１２の通電をＯＦＦ状態にしない（ＯＮ状態にする）。これにより、環境照度が所定の照度より明るい場合（Ｓ１０１でＮｏ）、人体検出センサ１１２による人体検出をトリガーとして操作部１１１の起動処理を開始することができる。人がＭＦＰ１００に触れる前に操作部１１１の起動処理を開始するので、スリープモードとなるまでの操作者の体感待ち時間を短縮でき、ユーザビリティが向上する。
【００８９】
ＣＰＵ１０１は、Ｓ１０４において人体検出センサ１１２が人体を検出していないと判定した場合、又は、Ｓ１０２において人体検出センサ１１２をＯＦＦにした場合、Ｓ１０５へ移行する。Ｓ１０５は、ＣＰＵ１０１がディープスリープモードからスリープモードへ復帰するトリガーであって人体検出センサ１１２による人体検出以外のトリガーを検出したか否かを判定するステップである。具体的には、ＣＰＵ１０１は、Ｓ１０５において、スリープボタン１１８の操作がされたか（スリープボタン１１８が押されたか）否か判定する。
【００９０】
ＣＰＵ１０１は、Ｓ１０５において、スリープボタン１１８の操作を検出した場合、Ｓ１０６に移行する。Ｓ１０６において、ＣＰＵ１０１は、操作部１１１の起動処理を実行し、スリープモードへと移行する。
【００９１】
一方ＣＰＵ１０１は、Ｓ１０５において、スリープボタン１１８の操作を検出しない場合、Ｓ１０１に移行し、ディープスリープモードからスリープモードへ復帰するトリガーを検出するまで（Ｓ１０４又はＳ１０５にて、Ｙｅｓとなるまで）フローを繰り返す。
【００９２】
Ｓ１０５でＮｏの場合に、Ｓ１０１に戻ってフローを繰り返すことにより、次のような効果が得られる。ディープスリープモードの実行中（つまり、スリープモードへ復帰するトリガーを検出しない間）に、ＭＦＰ１００の周囲が所定の照度以下になった（明るい状態から暗くなった）ことに応じて、人体検出センサ１１２への通電をＯＦＦする。これにより、不必要なディープスリープからの操作部１１１の起動を防ぐことができ、ＭＦＰ１００の消費電力を低減することができる。
【００９３】
また、ディープスリープモードの実行中（つまり、スリープモードへ復帰するトリガーを検出しない間）に、ＭＦＰ１００の周囲が所定の照度より大きくなった（暗い状態から明るくなった）ことに応じて、人体検出センサ１１２への通電をＯＮする。これにより、人体検出センサ１１２の機能が復帰し、人体検出センサ１１２による人体検出をトリガーに操作部１１１の起動処理を開始することができる。人がＭＦＰ１００に触れる前に操作部１１１の立ち上げを開始するので、スリープモードとなるまでの操作者の体感待ち時間を短縮でき、ユーザビリティが向上する。
【００９４】
尚、Ｓ１０５におけるトリガー（ディープスリープモードからスリープモードへ復帰するトリガーであって、人体検出センサ１１２による人体検出以外のトリガー）は、スリープボタン１１８の操作に限らない。例えば、ＣＰＵ１０１がネットワークＮからの印刷ジョブの受信したことをトリガーとする構成であってもよい。この場合、ＣＰＵ１０１は、Ｓ１０５において、ネットワークＮからプリントジョブを受信した場合、Ｓ１０６に移行する。また、ＣＰＵ１０１は、ネットワークＮからプリントジョブを受信しなかった場合、Ｓ１０１に移行し、ディープスリープモードからスリープモードへ復帰するトリガーを検出するまで（Ｓ１０４又はＳ１０５にてＹｅｓとなるまで）、フローを繰り返す。尚、この場合、ディープスリープモードにおいても、ネットワークＮからのプリントジョブの受信に必要なＩ／Ｆ１１４及びネットワークコントローラ１０７は通電している構成とする。
【００９５】
以上のように、照度センサ１１３による検出値が所定の閾値以下である場合、人体検出センサ１１２への通電をＯＦＦ状態にする。これにより、不必要なディープスリープからの操作部１１１の起動を防ぐことができ、ＭＦＰ１００の消費電力を低減することができる。
【００９６】
［実施例２］
実施例１では、ディープスリープモードのＭＦＰ１００は、人体検出センサ１１２による人体検出をトリガーとして、操作部１１１が起動する。本実施例では、ディープスリープモードのＭＦＰ１００は、人体検出センサ１１２による人体検出をトリガーとして、操作部１１１だけでなく、プリンタ部１１５も起動する。
【００９７】
以下では、実施例１との差を中心に、実施例２の構成の詳細について説明する。尚、実施例１と同じ構成には同符号を付すことにより、詳細な説明を省略する。
【００９８】
（２−１）人体検出センサによるプリンタ部の復帰
本実施例では、ディープスリープモードのＭＦＰ１００は、人体検出センサ１１２による人体検出をトリガーとして、操作部１１１だけでなく、定着部９を含むプリンタ部１１５も起動させ、前述したスタンバイモードへ移行する。
【００９９】
操作部１１１及びプリンタ部１１５に電力供給していないディープスリープモードにおいて、人体検出センサ１１２が人体を検出したことに応じて、ＭＦＰ１００は、操作部１１１及びプリンタ部１１５へ電力を供給し、スタンバイモードへの移行を開始する。尚、本実施例においけるディープスリープモードからスタンバイモードへ移行するトリガーは、実施例１のトリガー（ディープスリープモードからスリープモードへ移行するトリガー）と同様である。
【０１００】
本実施例でのＭＦＰ１００は、操作部１１１の起動とプリンタ部１１５の起動とを並行して処理する。スタンバイモードは、プリンタ部１１５の立ち上げ及び操作部１１１の起動処理が完了している状態である。
【０１０１】
具体的には、ディープスリープモードにおいて、人体検出センサ１１２により人体検出をしたことに応じて、実施例１と同様に操作部１１１へ電力供給を開始する。操作部１１１は、起動処理が完了すると、操作者による操作部１１１上での各種操作（例えば、印刷処理の設定変更や印刷の実行命令等）が可能になる。
【０１０２】
また、ディープスリープモードにおいて、人体検出センサ１１２により人体検出をしたことに応じて、電源制御部１０４が、プリンタ部１１５に電源部２１０から電圧を供給することで、プリンタ部１１５の起動処理（立ち上げ）を開始する。定着部９の加熱制御（ウォームアップ制御）などの立ち上げが完了し、次の画像形成命令を開始可能な状態となったことで、プリンタ部１１５の立ち上げが完了する。プリンタ部１１５の立ち上げには、プリンタコントローラ１０８の起動処理を含む。
【０１０３】
プリンタ部１１５の立ち上げにおいて、ＭＦＰ１００は、実施例１で説明した定着部９のハロゲンヒーター２０１に電源部２１０から電圧を供給することで、定着ローラ５１の加熱制御を開始する。定着部９においては、温度センサ２０５による検出値を基に、定着ローラ５１の表面温度がスタンバイモードの温調温度である１８５℃に到達したことに応じて定着部９の起動が完了する。
【０１０４】
尚、プリンタ部１１５の起動にかかる時間は、定着部９の放冷時間（ＭＦＰ１００がディープスリープモードに移行してからの経過時間）に依存するため一様ではないが、常温状態の定着部９の加熱制御をする場合、プリンタ部１１５の起動に約２分を要する。この場合、人体検出センサ１１２により人体検出をしたことに応じて、ディープスリープモードから、まず操作部１１１の起動（約３０秒）が完了し、続いてプリンタ部１１５の起動（約２分）が完了し、スタンバイモードとなる。
【０１０５】
このように、人体検出センサ１１２による人体検出をトリガーとして操作部１１１とプリンタ部１１５とを起動させることにより、ＭＦＰ１００に接近した操作者が操作部１１１を操作する前に、プリンタ部１１５の起動処理を開始する。これにより、画像形成処理の実行を目的としてＭＦＰ１００に接近した操作者にとっては、１枚目の画像形成が開始されるまでに体感する待ち時間を短縮することができ、より利便性を向上することができる。
【０１０６】
（２−２）人体検出センサＯＦＦモード
本実施例では、人体検出センサ１１２による人体検出に伴いディープスリープモードからスタンバイモードへ移行するＭＦＰ１００に、照度センサ１１３を用いた人体検出センサＯＦＦモードを適用する。つまり、ＭＦＰ１００は、ディープスリープモードにおいて、照度センサ１１３により検出した環境照度が所定の閾値（所定の照度）以下である場合に、人体検出センサ１１２への通電をＯＦＦにする人体検出センサＯＦＦモードを持つ。
【０１０７】
（１−８）にて述べたように、ＭＦＰ１００の周囲の環境照度が低い場合には、装置を使用する意思のない人を検出してしまうことにより、不要に操作部１１１を立ち上げる確率が増えてしまう。これは、操作部１１１の不要な立ち上げに伴う電力を無駄に消費してしまう。
【０１０８】
そこで、本実施例のＭＦＰ１００は、照度センサ１１３による検出値が所定の閾値以下を示した場合、人体検出センサ１１２への通電をＯＦＦ状態にするＯＦＦモードに遷移する。これにより、不必要なディープスリープからの操作部１１１の起動を防ぐことができ、ＭＦＰ１００の消費電力を低減することができる。さらに、本実施例のＭＦＰ１００は、不必要な操作部１１１の起動だけでなく、不必要なディープスリープからのプリンタ部１１５の起動も防ぐことができるので、ＭＦＰ１００の消費電力をさらに低減することができる。
【０１０９】
（２−３）フローチャート
図７は実施例２における処理の一例を示すフローチャートであり、人体検出センサＯＦＦモードを備えるＭＦＰ１００がディープスリープモードにおいて実行する処理の一例を示している。
【０１１０】
このフローは、制御部１０５によって実行される。より具体的には、ディープスリープモードにおいて通電しているＣＰＵ１０１が、メモリ１０２の保持するプログラムを実行することにより行われる。
【０１１１】
Ｓ２０１〜Ｓ２０５は、それぞれ実施例１のＳ１０１〜Ｓ１０５（図６）と同様であるから詳細な説明を省略する。実施例１の図６の説明においてスリープモードをスタンバイモードに読みかえることで理解されるものである。
【０１１２】
実施例１と同様に、環境照度が所定の照度より明るい場合（Ｓ２０１でＮｏ）、人体検出センサ１１２の通電をＯＦＦ状態にしない（Ｓ２０３）。これにより、環境照度が所定の照度より明るい場合、人体検出センサ１１２により、人がＭＦＰ１００に触れる前に操作部１１１及びプリンタ部１１５の立ち上げを開始できる。よって、スタンバイモードとなるまでの操作者の体感待ち時間を短縮でき、ユーザビリティが向上する。
【０１１３】
実施例１と同様に、環境照度が所定の照度以下である場合（Ｓ２０１でＹｅｓ）、人体検出センサ１１２の通電をＯＦＦ状態にする（Ｓ２０２）。ここで、人体検出センサ１１２が既にＯＦＦ状態である場合には、ＯＦＦ状態を維持する。つまり、ＭＦＰ１００の環境照度が所定の照度以下である間は、人体検出センサ１１２の通電をＯＦＦ状態のままにする。これにより、ＭＦＰ１００の周囲に、装置を使用する意思のない人がいる場合に操作部１１１が不要に立ち上がってしまうことに伴う電力消費を抑制することができる。また、照度センサ１１３が所定の閾値以下を検出したときは、人体検出センサ１１２自体への電源供給を停止させるので、不必要な人体検出センサ１１２の電力消費も抑制できる。
【０１１４】
また、Ｓ２０５においてＮｏの場合、Ｓ２０１に戻ってフローを繰り返すことで次のような効果が得られる。ディープスリープモードの実行中（つまり、スタンバイモードへ復帰するトリガーを検出しない間）に、ＭＦＰ１００の周囲が所定の照度以下になった（明るい状態から暗くなった）場合、人体検出センサ１１２への通電をＯＦＦする。これにより、不必要なディープスリープからの操作部１１１及びプリンタ部１１５の起動を防ぐことができ、ＭＦＰ１００の消費電力を低減することができる。
【０１１５】
また、ディープスリープモードの実行中（つまり、スタンバイモードへ復帰するトリガーを検出しない間）に、ＭＦＰ１００の周囲が所定の照度より大きくなった（暗い状態から明るくなった）場合、人体検出センサ１１２への通電をＯＮする。これにより、人体検出センサ１１２の機能が復帰し、人体検出センサ１１２による人体検出をトリガーに操作部１１１及びプリンタ部１１５の起動処理を開始することができる。人がＭＦＰ１００に触れる前に操作部１１１及びプリンタ部１１５の立ち上げを開始するので、スタンバイモードとなるまでの操作者の体感待ち時間を短縮でき、ユーザビリティが向上する。
【０１１６】
本実施例では、人体検出センサ１１２で人体がＭＦＰ１００の周囲にいると判定した場合（Ｓ２０４でＹｅｓ）、ＣＰＵ１０１は、操作部１１１の起動処理（Ｓ２０６）及びプリンタ部１１５の起動処理（Ｓ２０７）を実行する。そしてＭＦＰ１００は、スタンバイモードとなる。
【０１１７】
また、本実施例では、人体検出センサ１１２による人体検出以外のトリガーを検出した場合（Ｓ２０４でＹｅｓ）、ＣＰＵ１０１は、操作部１１１の起動処理（Ｓ２０６）及びプリンタ部１１５の起動処理（Ｓ２０７）を実行する。具体的には、スリープボタン１１８の操作を検出した場合（Ｓ２０４でＹｅｓ）、Ｓ２０６、Ｓ２０７へ移行する。そしてＭＦＰ１００は、スタンバイモードとなる。
【０１１８】
Ｓ２０６及びＳ２０７において、ＣＰＵ１０１は、電源制御部１０４にコマンドを送信し、電源制御部１０４がディープスリープモードからスタンバイモードに移行するよう電源部２１０を制御する。Ｓ２０６では、電源部２１０より電力が供給されたＩ／Ｏコントローラ１１０が起動し、操作部１１１を操作可能な状態にする。Ｓ２０７では、プリントコントローラ１０８と、プリンタ部１１５とに電源部２１０より電力が供給される。プリンタコントローラ１０８が起動すると、プリンタコントローラ１０８はプリンタ部１１５を次の画像形成命令を開始可能な状態にする。これらの起動が完了すると、ＭＦＰ１００はスタンバイモードとなる。
【０１１９】
尚、操作部１１１の起動処理（Ｓ２０６）及びプリンタ部１１５の起動処理（Ｓ２０７）は、同時並行で実行してもよいし、順番に実行してもよい。
【０１２０】
以上により、ＭＦＰ１００の周囲が所定の照度以下の場合、すなわちＭＦＰ１００の稼働率が低いと想定される場合に、人体検出センサ１１２による操作部１１１及びプリンタ部１１５の復帰機能を停止させることができる。結果、ＭＦＰ１００の周囲に装置を使用する意思のない人がいる場合に、操作部１１１及びプリンタ部１１５の不要な立ち上げに伴う電力消費を抑制することができる。また、照度センサ１１３が所定値以下を検出したときは、人体検出センサ１１２自体への電源供給を停止させるので、不必要な人体検出センサ１１２の消費電力も低減することができる。
【０１２１】
［実施例３］
実施例１、２では、人体検出センサＯＦＦモードによって、人体検出センサ１１２による人体検出に伴うディープスリープモードからスリープモード（実施例１）／スタンバイモード（実施例２）への移行をしない構成について説明した。
【０１２２】
本実施例では、人体検出センサ１１２をＯＮ状態のまま、人体検出センサ１１２による人体検出に伴うディープスリープモードからスリープモード／スタンバイモードへの移行をさせない構成について説明する。
【０１２３】
以下では、実施例１の構成に対して人体検出センサＯＦＦモードの代わりに人体検出センサ無効モードを適用する場合を例として、実施例１との差を中心に本実施例の構成を説明する。つまり、ディープスリープモードからスリープモードへ移行する場合を例に説明する。実施例１と同じ構成には同符号を付すことにより、詳細な説明を省略する。
【０１２４】
（３−１）人体検出センサ無効モード
人体検出センサ無効モードとは、照度センサ１１３により検出した環境照度が所定の閾値（所定の照度）以下である場合に、人体検出センサ１１２が人物を検知したか否かに関係なく、ディープスリープモードからスリープモードへ移行させないように制御する。つまり、本実施例のＣＰＵ１０１は、ディープスリープモードにおいて照度センサ１１３により検出した環境照度に応じて、実施例１のように人体検出センサ１１２のＯＮ／ＯＦＦを制御するのではない。本実施例では、実際にはＭＦＰ１００の周囲に人体がいることにより人体検出センサ１１２が出力する信号の変化があったとしても、ＣＰＵ１０１は、それを無視して（無効化して）制御する。
【０１２５】
（１−８）にて述べたように、ＭＦＰ１００の周囲の環境照度が低い場合には、装置を使用する意思のない人を検出してしまうことにより、不要に操作部１１１を立ち上げる確率が増えてしまう。これは、操作部１１１の不要な立ち上げに伴う電力を無駄に消費してしまう。
【０１２６】
そこで、本実施例のＭＦＰ１００は、照度センサ１１３による検出値が所定の閾値以下を示した場合、人体検出センサ１１２による人体検出に伴う操作部１１１の起動処理を実行しない。これにより、不必要なディープスリープからの操作部１１１の起動を防ぐことができ、ＭＦＰ１００の消費電力を低減することができる。
【０１２７】
尚、ディープスリープモードでの通電状態、スリープモードでの通電状態は、実施例１と同様である。
【０１２８】
（３−２）フローチャート
図８に示すフローチャートに沿って、人体検出センサ無効モードについて説明する。図８は、図８は実施例３における処理の一例を示すフローチャートであり、人体検出センサ無効モードを備えるＭＦＰ１００における処理の一例を示すフローチャートである。このフローは、制御部１０５によって実行される。より具体的には、ディープスリープモードにおいて通電しているＣＰＵ１０１が、メモリ１０２の保持するプログラムを実行することにより行われる。なお、実施例１と重複するものは説明を省略する。
【０１２９】
操作者により操作部１１１のスリープボタン１１８が押されるなどして、ＭＦＰ１００がディープスリープモードになると、人体検出センサ１１２による人体検出を無効にするか否かの処理フローを開始する。
【０１３０】
Ｓ３０１において、ＣＰＵ１０１は、人体検出センサ１１２をＯＮ状態にする。より具体的には、ＣＰＵ１０１は電源制御部１０４にコマンドを送信し、電源制御部１０４が人体検出センサ１１２への通電がＯＮ状態となるように電源部２１０を制御する。尚、ディープスリープモードの開始前の時点で既に人体検出センサ１１２がＯＮ状態になっている場合には、ＯＮ状態を維持する。
【０１３１】
Ｓ３０２において、ＣＰＵ１０１は、照度センサ１１３が検出した照度が所定の閾値（本例では、５０ｌｘ）以下か否かを判定する。照度センサ１１３は、ＭＦＰ１００の環境照度を検出する。
【０１３２】
Ｓ３０２において、ＣＰＵ１０１は、照度センサ１１３が検出した照度が所定の閾値（本実施例では、５０ｌｘ）より大きい場合はＳ３０３に移行する。
【０１３３】
Ｓ３０３は、Ｉ／Ｏコントローラ１１０が取得する人体検出センサ１１２の出力を基に、人体検出センサ１１２が人体を検出したか否かをＣＰＵ１０１が判定するステップである。ＣＰＵ１０１は、Ｓ３０３において、人体検出センサ１１２が人体を検出したと判定した場合は、Ｓ３０５へ移行し、人体検出センサ１１２が人体を検出していないと判定した場合は、Ｓ３０４へ移行する。
【０１３４】
一方、ＣＰＵ１０１は、Ｓ３０２において、照度センサ１１３が検出した照度が所定の閾値（本実施例では、５０ｌｘ）以下である場合はＳ３０４に移行する。すなわち、Ｓ３０３のステップを飛ばす。これにより、ＭＦＰ１００の周囲が所定の照度以下の場合、すなわち非就業時間帯や休憩時間等のようにＭＦＰ１００の稼働率が低いと想定される状況の場合に、人体検出センサ１１２による操作部１１１の復帰を停止させることができる。結果、ＭＦＰ１００の周囲に装置を使用する意思のない人がいる場合、操作部１１１の不要な立ち上げに伴う電力消費を抑制することができる。
【０１３５】
Ｓ３０５において、ＣＰＵ１０１は、操作部１１１の起動処理を実行し、スリープモードへと移行する。Ｓ３０５は、図６のＳ１０６と同様であるから説明を省略する。
【０１３６】
照度センサ１１３が検出した照度が所定の閾値より大きい（Ｓ３０２でＮｏ）場合には、人体検出センサ１１２による人体検出をトリガーに操作部１１１の立ち上げを開始する（Ｓ３０３でＹｅｓ、Ｓ３０５）。人がＭＦＰ１００に触れる前に操作部１１１の立ち上げを開始するので、スリープモードとなるまでの操作者の体感待ち時間を短縮でき、ユーザビリティが向上する。
【０１３７】
ＣＰＵ１０１は、Ｓ３０３において人体検出センサ１１２が人体を検出していないと判定した場合、又は、Ｓ３０２において照度センサ１１３の検出した照度が所定の閾値以下と判定した場合、Ｓ３０４へ移行する。Ｓ３０４は、図６のＳ１０５と同様に、ＣＰＵ１０１がディープスリープモードからスリープモードへ復帰するトリガーであって人体検出センサ１１２による人体検出以外のトリガーを検出したか否かを判定するステップである。
【０１３８】
ＣＰＵ１０１は、Ｓ３０４において、スリープモードへ復帰する人体検出以外のトリガーを検出した場合Ｓ３０５に移行する。ＣＰＵ１０１は、Ｓ３０４において、スリープモードへ復帰する人体検出以外のトリガーを検出しない場合Ｓ３０２に戻る。そしてＣＰＵ１０１は、ディープスリープモードからスリープモードへ復帰するトリガーを検出するまで（Ｓ３０３又はＳ３０４にて、Ｙｅｓとなるまで）、フローを繰り返す。
【０１３９】
Ｓ３０４においてＮｏの場合、Ｓ３０２に戻ってフローを繰り返すことで次のような効果が得られる。ディープスリープモードの実行中（つまり、スリープモードへ復帰するトリガーを検出しない間）にＭＦＰ１００の周囲が所定の照度以下になった（明るい状態から暗くなった）場合、Ｓ３０３のステップを飛ばす。これにより、不必要なディープスリープからの操作部１１１の起動を防ぐことができ、ＭＦＰ１００の消費電力を低減することができる。
【０１４０】
また、ディープスリープモードの実行中（つまり、スリープモードへ復帰するトリガーを検出しない間）にＭＦＰ１００の周囲が所定の照度以下である間、Ｓ３０３のステップを飛ばして制御する。これにより、不必要なディープスリープからの操作部１１１の起動を防ぐことができ、ＭＦＰ１００の消費電力を低減することができる。
【０１４１】
また、ディープスリープモードの実行中（つまり、スリープモードへ復帰するトリガーを検出しない間）に、ＭＦＰ１００の周囲が所定の照度より大きくなった（暗い状態から明るくなった）場合、Ｓ３０３のステップを飛ばさない。これにより、人体検出センサ１１２による人体検出をトリガーに操作部１１１の立ち上げを開始することができる。人がＭＦＰ１００に触れる前に操作部１１１の立ち上げを開始するので、スリープモードとなるまでの操作者の体感待ち時間を短縮でき、ユーザビリティが向上する。
【０１４２】
以上により、ＭＦＰ１００の周囲が所定の照度以下の場合、すなわちＭＦＰ１００の稼働率が低いと想定される場合に、人体検出センサ１１２による操作部１１１の復帰を停止させることができる。結果、ＭＦＰ１００の周囲に装置を使用する意思のない人がいる場合、操作部１１１の不要な立ち上げに伴う電力消費を抑制することができる。
【０１４３】
（３−３）その他のフローチャート
尚、図８のフローでは照度センサ１１３が検出した照度に応じて（Ｓ３０２）、人体検出センサ１１２による人体検出のステップ（Ｓ３０３）を飛ばすか否かを制御したが、図９のようなフローで制御する構成としてもよい。
【０１４４】
図９は、実施例３における処理の一例を示すフローチャートであり、人体検出センサ無効モードを備えるＭＦＰ１００における処理の一例を示すフローチャートである。このフローは、制御部１０５によって実行される。より具体的には、ディープスリープモードにおいて通電しているＣＰＵ１０１が、メモリ１０２の保持するプログラムを実行することにより行われる。
【０１４５】
ディープスリープモードにおいて、人体検出センサ１１２はＯＮ状態である（Ｓ４０１）。ＣＰＵ１０１は、人体検出センサ１１２が人体を検出したら（Ｓ４０２  Ｙｅｓ）、照度センサ１１３が検出する照度が所定の閾値以下であるかを判定する（Ｓ４０３）。ＣＰＵ１０１は、照度センサ１１３が検出する照度が所定の閾値より大きい場合には、操作部１１１を起動させ（Ｓ４０５）、スリープモードへ移行する。一方、ＣＰＵ１０１は、照度センサ１１３が検出する照度が所定の閾値以下である場合には、Ｓ４０４に移行する。人体検出センサ１１２による人体検出以外のトリガーを検出したら（Ｓ４０４  Ｙｅｓ）、操作部１１１を起動させ（Ｓ４０５）、スリープモードへ移行する。人体検出センサ１１２による人体検出以外のトリガーを検出しない場合（Ｓ４０４  Ｎｏ）、Ｓ４０２に戻る。一方、ＣＰＵ１０１は、人体検出センサ１１２が人体を検出しない場合（Ｓ４０２  Ｎｏ）、Ｓ４０３のステップを飛ばし、Ｓ４０４に移行する。
【０１４６】
尚、各ステップの詳細については、上述の（３−２）と同様であるから詳細な説明は省略する。このようなフローでの制御においても、図８のフローと同様の効果を得ることができる。
【０１４７】
照度センサ１１３による検出値が所定の閾値以下を示した場合には、人体検出センサ１１２が人体検出をした場合であっても、人体検出センサ１１２による人体検出に伴う操作部１１１の起動処理を実行しない。これにより、不必要なディープスリープからの操作部１１１の起動を防ぐことができ、ＭＦＰ１００の消費電力を低減することができる。
【０１４８】
さらに、この構成（図９のフロー）においては、人体検出センサ１１２が人体を検出した場合にのみ照度センサ１１３に通電し、それ以外の場合には照度センサ１１３に通電しない構成としてもよい。具体的には、Ｓ４０２でＮｏの場合に、ＣＰＵ１０１が照度センサ１１３をＯＮにして照度センサを機能させてから、Ｓ４０３の判定をする。そして、Ｓ４０３からＳ４０４（又はＳ４０５）に移行する前にＣＰＵ１０１が照度センサ１１３をＯＦＦにする。これにより、ディープスリープモードにおける照度センサ１１３の消費電力をも削減することができる。
【０１４９】
尚、本実施例３では、実施例１に人体検出センサ無効モードを適用する場合を例に説明したが、実施例２に人体検出センサ無効モードを適用する構成としてもよい。すなわち、ディープスリープモードにおいて、照度センサ１１３による検出値が所定の閾値より大きい場合、人体検出センサ１１２による人体検出に伴い操作部１１１及びプリンタ部１１５を起動し、スタンバイモードへ移行する構成に適用するとしてもよい。この場合、照度センサ１１３による検出値が所定の閾値以下を示した場合には、人体検出センサ１１２に通電した状態で、人体検出センサ１１２による人体検出に伴う操作部１１１及びプリンタ部１１５の起動処理を実行しない。これにより、不必要なディープスリープからの操作部１１１及びプリンタ部１１５の起動を防ぐことができ、ＭＦＰ１００の消費電力を低減することができる。
【０１５０】
［その他の例］
以上の説明では、ディープスリープモードにおいてトリガー（人体検出センサ１１２による人体検出等）を検出することで、操作部１１１、又は、操作部１１１とプリンタ部１１５が起動する構成を例に説明した。しかしながら、操作部１１１の他に、スキャナ部１１６も併せて起動する構成としてもよい。
【０１５１】
また、以上では、プリンタ部１１５としてカラー方式、中間転写方式の電子写真装置を例に説明したが、プリンタ部１１５の構成はこれに限られない。モノクロの電子写真装置であってもよいし、直接転写方式の電子写真装置であってもよい。さらに、プリンタ部１１５は、電子写真方式に限らず、インクジェット方式など、他の画像形成方式で記録材に画像を形成する装置であってもよい。
【符号の説明】
【０１５２】
１００  ＭＦＰ
１０５  制御部
１１１  操作部
１１２  人体検出センサ
１１３  照度センサ
【図１】
2017078816.tif 000003
【図２】
2017078816.tif 000004
【図３】
2017078816.tif 000005
【図４】
2017078816.tif 000006
【図５】
2017078816.tif 000007
【図６】
2017078816.tif 000008
【図７】
2017078816.tif 000009
【図８】
2017078816.tif 000010
【図９】
2017078816.tif 000011